(57)【要約】【課題】運搬や設置、解体のための作業負担を軽減でき、少人数で設置、解体の各作業が行える止水板を提供する。【解決手段】床面上の開放部分に設置される止水板４であって、上下に積み重ねられる複数の板材４Ａ，４Ｂ，４Ｃよりなる。各板材４Ａ，４Ｂ，４Ｃは、内部が中空のアルミ押出形材であって、天板部４０、底板部４１、および両方の側板部４２，４３を一体に有する。中段、下段の各板材４Ｂ，４Ｃは、天板部４０に突条５が、上段、中段の各板材４Ａ，４Ｂは、底板部４１に凹溝６が、それぞれ全長にわたって設けられている。突条５は、対向する凹溝６とパッキング６０を介して水密状態で嵌合される。【選択図】図４
2019078086.tif 000002
【特許請求の範囲】
【請求項１】
床面上の開放部分に設置される止水板であって、上下に積み重ねられる複数の板材よりなり、前記各板材は、内部が中空のアルミ押出形材であって、天板部、底板部、および両方の側板部を一体に有し、最上段の板材を除く各板材は、前記天板部に突条と凹溝のうちの一方が、最下段の板材を除く各板材は、前記底板部に前記突条と凹溝のうちの他方が、それぞれ全長にわたって設けられており、前記突条は、対向する前記凹溝とパッキングを介して水密状態で嵌合される止水板。
【請求項２】
前記突条は、帯板状であって前記凹溝の溝底に達しない高さを有し、先端縁が先細形状に形成されている請求項１に記載の止水板。
【請求項３】
前記各板材は、前記側板部の板面より突出する持ち手部を備えている請求項１に記載の止水板。
【請求項４】
床面上の開放部分を挟んで対向する壁面のそれぞれに第１のパッキングを介して水密状態で固定される左右の支柱部材と、両側端部が前記各支柱部材に第２のパッキングを介して水密状態で固定され下端部は床面に対して第３のパッキングを介して水密状態で押し当てられる止水板とを含み、
前記止水板は、上下に積み重ねられる複数の板材よりなり、前記各板材は、内部が中空のアルミ押出形材であって、天板部、底板部、および両方の側板部を一体に有し、最上段の板材を除く各板材は、前記天板部に突条と凹溝のうちの一方が、最下段の板材を除く各板材は、前記底板部に前記突条と凹溝のうちの他方が、それぞれ全長にわたって設けられており、前記突条は、対向する前記凹溝と第４のパッキングを介して水密状態で嵌合されている止水装置。
【請求項５】
前記各支柱部材の上方位置にそれぞれ設けられる支持基板と、前記止水板の両側端部を上方より押圧するねじとを有する第１の押下機構をさらに含んでおり、前記支持基板は、前記壁面に固定される垂直板部と、上下に貫通するねじ孔を有し前記止水板の側端部の上方へ突出する水平板部とを一体に備えており、前記ねじは、前記止水板の押下により前記第３のパッキングが圧縮変形するまで前記水平板部のねじ孔にねじ込まれている請求項４に記載の止水装置。
【請求項６】
前記止水板の長さ中央部に設けられ止水板の最下段の板材を下方へ押し下げて床面へ押し付ける第２の押下機構と、積み重ねられた全ての板材を互いに密接する状態で一体化する連結機構とをさらに備えている請求項５に記載の止水装置。
【請求項７】
前記連結機構は、各板材の上端部に前記側板部の板面より突出するように設けられる板状の持ち手部と、最下段の板材を除く各板材の下端部に前記持ち手部に重合可能に設けられる板状の固定部とを含んでおり、前記持ち手部と前記固定部とが複数箇所においてねじ止めされてなる請求項６に記載の止水装置。
【請求項８】
前記連結機構は、ねじ棒と、前記止水板の最下段の板材に設けられ前記ねじ棒の下端部を固定する固定基板と、前記止水板の最上段の板材に設けられ前記ねじ棒の上端部を支持する支持板材と、前記ねじ棒のねじと噛み合い回動により前記支持板材を下方へ押下させるナット部材とを含む請求項６に記載の止水装置。
【発明の詳細な説明】
【技術分野】
【０００１】
この発明は、家屋、ビル、地下鉄、地下道などの構造物において、洪水時に出入口などの床面上の開放部分より水が流入しないように水を堰き止めるための止水板と、その止水板が用いられた止水装置とに関する。
【背景技術】
【０００２】
止水装置として、建物の出入口などにおいて、例えば、床面を掘削するなどして止水板を起伏可能に組み付けた構造のものがある。しかし、この種の止水装置は、設備が大掛かりであり、既設の建物の出入口などに設置するのに大掛かりな工事が必要となる。そこで、出願人は先般、建物の出入口などに容易に設置できるうえに、組立、解体時の取扱いが便利であり、洪水に際して迅速に対応できる止水装置を提案した（例えば特許文献１参照）。
【０００３】
特許文献１に記載の止水装置は、床面上にパッキングを中間に介在させてねじにより固定される床板部材と、構造物の対向する壁面にパッキングを中間に介在させてねじにより固定される左右の支柱部材と、下端縁と両側端縁とが床板部材と左右の支柱部材とにねじにより固定される止水板とから成るものであり、簡単なねじの締付け作業によって建物の出入口などに容易に設置できるものである。
【先行技術文献】
【特許文献】
【０００４】
【特許文献１】特許第５７４９８２４号公報
【発明の概要】
【発明が解決しようとする課題】
【０００５】
しかし、特許文献１に記載の止水装置では、止水板の幅や高さが大きい場合、止水板が大型化して重量が嵩み、止水板の運搬や設置、解体のための作業が大変になる。特に、左右の支柱部材間に止水板を設置する作業では、止水板を持ち上げて支柱部材間に挿入する必要があるため、少人数で止水板を設置するのが難しくなり、止水板の設置作業が大掛かりとなる。
【０００６】
この発明は、上記した問題に着目してなされたもので、運搬や設置、解体のための作業負担を軽減でき、少人数で設置、解体の各作業が行える止水板と、その止水板が用いられた止水装置とを提供することを目的とする。
【課題を解決するための手段】
【０００７】
この発明による止水板は、床面上の開放部分に設置される止水板であり、上下に積み重ねられる複数の板材よりなる。各板材は、内部が中空のアルミ押出形材であって、天板部、底板部、および両方の側板部を一体に有する。最上段の板材を除く各板材は、天板部に突条と凹溝のうちの一方が、最下段の板材を除く各板材は、底板部に前記突条と凹溝のうちの他方が、それぞれ全長にわたって設けられる。突条は、対向する凹溝とパッキングを介して水密状態で嵌合される。
【０００８】
この発明によると、止水板は複数の板材により構成され、しかも、各板材は内部が中空のアルミ押出形材であるので、軽量で嵩張らず、運搬や取扱が容易である。止水板には、複数の板材を積み重ねて組み立てられるので、少人数で止水板の設置、解体の各作業を行うことができる。また、板材の積み重ねに際し、凹溝に突条を嵌め込むことで上下の板材の位置合わせと結合とが可能であり、凹溝内のパッキングが突条の先端縁により押し付けられることにより水密状態となる。
【０００９】
突条および凹溝は種々の形態のものが考えられるが、好ましい実施態様の突条は、帯板状であって凹溝の溝底に達しない高さを有し、先端縁が先細形状に形成されている。
【００１０】
この実施態様によると、突条は帯板状であって先端縁が先細形状であるので、板材の積み重ねに際し、凹溝内へ突条を挿入し易く、板材間の位置合わせが容易であり、板材間が確実に結合される。また、凹溝内のパッキングが突条の先端縁が押し付けられることで、パッキングが強く圧縮変形され、水密状態となる。
【００１１】
好ましい実施形態においては、各板材は、側板部の板面より突出する持ち手部を備えているので、作業者は持ち手部に手を懸けることで各板材の運搬や設置、解体のための作業が可能である。
【００１２】
この発明による止水装置は、床面上の開放部分を挟んで対向する壁面のそれぞれに第１のパッキングを介して水密状態で固定される左右の支柱部材と、両側端部が各支柱部材に第２のパッキングを介して水密状態で固定され下端部は床面に対して第３のパッキングを介して水密状態で押し当てられる止水板とを含んでいる。
止水板は、上下に積み重ねられる複数の板材よりなるもので、各板材は、内部が中空のアルミ押出形材であって、天板部、底板部、および両方の側板部を一体に有している。最上段の板材を除く各板材は、天板部に突条と凹溝のうちの一方が、最下段の板材を除く各板材は、底板部に突条と凹溝のうちの他方が、それぞれ全長にわたって設けられている。突条は、対向する凹溝と第４のパッキングを介して水密状態で嵌合される。
【００１３】
この発明による止水装置は、対向する各壁面に支柱部材を取り付けた後、左右の支柱部材間に複数の板材を積み重ねることで止水板が組み立てられる。
【００１４】
止水装置は、各支柱部材の上方位置にそれぞれ設けられる支持基板と、止水板の両側端部を上方より押圧するねじとを有する第１の押下機構をさらに含むものであってもよい。支持基板は、壁面に固定される垂直板部と、上下に貫通するねじ孔を有し止水板の側端部の上方へ突出する水平板部とを一体に備えており、ねじは、止水板の押下により第３のパッキングが圧縮変形するまで水平板部のねじ孔にねじ込まれる。
【００１５】
この止水装置では、第１の押下機構を構成する支持基板の水平板部のねじ孔にねじを上方よりねじ込むと、ねじの先端部が水平板部の下方へ突出して止水板の側端部の上面に突き当たる。これにより止水板が押下されて第３のパッキングが全長にわたって圧縮変形するので、止水板と床面との間が水密状態となる。
【００１６】
止水装置は、止水板の長さ中央部に設けられ止水板の最下段の板材を下方へ押し下げて床面へ押し付ける第２の押下機構と、積み重ねられた全ての板材を互いに密接する状態で一体化する連結機構とをさらに備えたものであってもよい。
【００１７】
この止水装置によると、第１の押圧機構により止水板の両側端部に上方より押圧力を作用させたとき、止水板の全長が長いと、止水板の中央部に下方への押圧力が十分に作用せずに中央部が浮いた状態になるおそれがあるが、第２の押下機構により止水板の最下段の板材が下方へ押し下げられ、さらに、積み重ねられた各板材も連結機構により互いに密接状態で一体化されているので、最下段の板材に追随して押し下げられる。その結果、止水板の中央部に浮きが生じず、第３のパッキングが全長にわたって圧縮変形し、水密状態が得られる。
【００１８】
連結機構として種々の態様のものが考えられるが、ひとつの実施態様は、各板材の上端部に側板部の板面より突出するように設けられる板状の持ち手部と、最下段の板材を除く各板材の下端部に持ち手部に重合可能に設けられる板状の固定部とを含んでおり、持ち手部と固定部とが複数箇所においてねじ止めされている。
【００１９】
連結機構の他の実施態様は、ねじ棒と、止水板の最下段の板材に設けられねじ棒の下端部を固定する固定基板と、止水板の最上段の板材に設けられねじ棒の上端部を支持する支持板材と、ねじ棒のねじと噛み合い回動により支持板材を下方へ押下させるナット部材とを含んだものである。
【００２０】
なお、上記した各構成において、「ねじ」とは外周面にネジ山を有する雄ネジを意味し、ボルト、小ネジ、ビスなどを含む。また、「パッキング」とは水密を保つための詰め物を意味し、ここでは、天然ゴム、人工ゴム、皮革のように圧縮変形により水密状態が高められるものを指す。
【発明の効果】
【００２１】
この発明によると、止水板は複数の板材を積み重ねて構成され、しかも、各板材は内部が中空のアルミ押出形材よりなるので、各板材は軽量で嵩張らず、運搬や取扱が容易であり、運搬や設置、解体のための作業負担を軽減できる。また、板材の積み重ねに際して、突条と凹溝とを嵌合させるので、上下の板材間の位置合わせが容易であり、止水板の組立が迅速に行える。
【図面の簡単な説明】
【００２２】
【図１】一実施形態の止水装置の背面図である。
【図２】図１のＡ-Ａ線に沿う断面図である。
【図３】図１のＢ−Ｂ線に沿う断面図である。
【図４】各板材の断面図であり、（１）は上段の板材の断面図、（２）は中段の板材の断面図、（３）は下段の板材の断面図である。
【図５】支柱部材および止水板の設置状態を拡大して示す断面図である。
【図６】第１の押下機構による止水板の押下状態を拡大して示す一部を省略した断面図である。
【図７】第１の押下機構による止水板の押下状態を拡大して示す一部を省略した正面図である。
【図８】第２の押下機構の固定基板の外観を示し（１）は側面図、（２）は正面図、（３）は平面図である。
【図９】止水装置の設置手順を示す断面図である。
【図１０】他の実施態様の連結機構が組み込まれた止水装置の背面図である。
【図１１】図１０に組み込まれた連結機構を拡大して示す一部を省略した断面図である。
【図１２】連結機構のさらに他の実施形態を拡大して示す一部を省略した断面図である。
【発明を実施するための形態】
【００２３】
図１〜図３は、止水装置１の一実施形態を示す。図１において、Ｓは構造物の床面上の開放部分、例えば、建物の出入口を示す。１０は水を堰き止める位置の床面を示し、１１，１２は水を堰き止める位置の床面１０上の対向する壁面を示す。
この実施形態の止水装置１は、建物の出入口Ｓより建物内に水が流入しないように出入口Ｓの位置で水を堰き止めるものであるが、この発明の止水装置１は、建物の出入口に限らず、地下鉄や地下道の出入口などにも適用できる。
【００２４】
図１は、建物の屋内の側から見た止水装置１の外観を示している。以下、同図に示された外観を止水装置１の背面とし、建物の屋外の側から見た外観（図示せず）を止水装置１の正面とする。また、図２および図３において、Ｐが屋内、Ｑが屋外を表している。後述する止水板固定用の第２のボルト１７の締付け作業は屋内Ｐの側で行う。なお、以下の説明において、「左右（方向）」は、図２において矢印ｘで示す方向、「前後（方向）」は、図２において矢印ｙで示す方向を示す。
【００２５】
止水装置１は、建物の対向する左右の壁面１１，１２に支柱取付用のボルト（以下「第１のボルト」という。）１５により固定される左右の支柱部材３，３と、両側端部が左右の支柱部材３，３に止水板固定用のボルト（以下「第２のボルト」という。）１７により固定される止水板４とで構成される。止水板４は、上下に複数段にわたって積み重ねられる複数個（図示例では３個）の板材、すなわち上段の板材４Ａ、中段の板材４Ｂ、下段の板材４Ｃよりなる。
【００２６】
この実施形態の止水装置１は、上段の板材４Ａの両側端部を下方へ押し下げて下段の板材４Ｃを床面１０へ押し付けた状態に保つ止水板押圧用のボルト（以下「第３のボルト」という。）２５を有する左右一対の第１の押下機構２，２と、下段の板材４Ｃの中央部を下方へ押し下げて板材４Ｃを床面１０へ押し付けた状態に保つ止水板押圧用のボルト（以下「第４のボルト」という。）９５を有する第２の押下機構９とを含むものである。
【００２７】
水を堰き止める位置には、建物の対向する左右の壁面１１，１２の各支柱部材３，３を設置する位置の複数箇所（図示例では２箇所）と、床面１０の第２の押下機構９を設置する位置の１箇所とに、内部にねじ穴を有するアンカー部材１３，１８がそれぞれ埋設されている。なお、止水装置１を設置しないときは、アンカー部材１３，１８の各ねじ穴に蓋板（図示せず）をねじ止めするなどして、各ねじ穴を塞いでおくのが望ましい。
【００２８】
各支柱部材３，３は、図２および図５に示すように、各アンカー部材１３のねじ穴に対して第１のボルト１５をねじ込むことにより各壁面１１，１２に固定される。各支柱部材３の後述する底板部３１の下面には一対の帯板状のパッキング（以下「第１のパッキング」という。）８２が全長にわたり接着剤によりそれぞれ平行に貼設されている。第１のパッキング８２はゴムなどの弾性体よりなり、各支柱部材３と壁面１１，１２との間にそれぞれ介在する。第１のボルト１５を締め付けることにより第１のパッキング８２が圧縮変形し、これにより各支柱部材３と壁面１１，１２との間が水密状態となる。
【００２９】
止水板４は、横に長い矩形状であり、この実施形態では、図４（１）（２）（３）に示す上段、中段、下段の各板材４Ａ，４Ｂ，４Ｃを上下に連ねて構成される。中段、下段の各板材４Ｂ，４Ｃは高さＨが同じに設定され、上段の板材４Ａはその約半分の高さＨに設定されているが、これに限られるものではない。各段の板材４Ａ，４Ｂ，４Ｃは同じ厚みＤを有し、いずれの板材も全高さにわたって厚みＤが均一である。なお、積み重ねる段数は３段に限られず、２段であってもよく、４段以上であってもよい。
【００３０】
各板材４Ａ，４Ｂ，４Ｃは、内部が中空のアルミ押出形材であり、図４（１）には上段の板材４Ａの具体的な形態が、図４（２）には中段の板材４Ｂの具体的な形態が、図４（３）には下段の板材４Ｃの具体的な形態が、それぞれ示してある。各段の板材４Ａ，４Ｂ，４Ｃは、いずれも天板部４０、底板部４１、および両方の側板部４２，４３を有する。天板部４０と底板部４１との間には１または２個の補強板部４６が設けられている。
【００３１】
上段および中段の各板材４Ｂ，４Ｃは、底板部４１に凹溝６が全長にわたって設けられている。中段および下段の各板材４Ｂ，４Ｃは、天板部４０に突条５が全長にわたって設けられている。中段の板材４Ｂの突条５は上段の板材４Ａの凹溝６の溝壁６１，６１間に、下段の板材４Ｃの突条５は中段の板材４Ｂの凹溝６の溝壁６１，６１間に、それぞれ緩やかに嵌合する。この実施形態では、凹溝６の溝底は補強板部４６により形成されている。なお、上段および中段の各板材４Ａ，４Ｂの底板部４１に突条５を設け、中段および下段の各板材４Ｂ，４Ｃの天板部４０に凹溝６を設けてもよい。
【００３２】
各突条５は、図４および図６に示されるように、帯板状であって凹溝６の溝底に達しない高さｈに設定されている。各凹溝６は、各突条５の厚みｄよりわずかに大きい溝幅（溝壁６１，６１間の距離）を有し、突条５の両面と凹溝６の各溝壁６１との間にそれぞれ１ｍｍ以下の隙間が生ずる。各凹溝６の深さは各突条５の高さｈより大きく、凹溝６の溝底上に空間部が設けられている。各突条５の先端縁は先細の山形形状に形成されている。各凹溝６の溝底上の空間部に帯板状のパッキング（以下「第４のパッキング」という。）６０が凹溝６の長さ方向に沿って装填されて溝底に接着されている。第４のパッキング６０は、空間部よりわずかに大きな厚みを有するもので、突条５の先端と凹溝６の溝底との間に介在し、突条５により押圧されて圧縮変形されている。
なお、突条５と凹溝６は、互いに嵌合する形態であれば、この実施例の形態に限られない。また、この実施例では、突条５と凹溝６は、各板材４Ａ，４Ｂ，４Ｃの天板部４０や底板部４１の厚みＤの半分の位置にそれぞれ１個設けているが、これに限らず、複数個設けてもよい。
【００３３】
下段の板材４Ｃの底板部４１の下面には、図４（３）に示されるように、対向する突縁部４４，４５が一体形成されている。この突縁部４４，４５には一対の第３のパッキング８，８が設けられている。第３のパッキング８は上面が板材４Ｃの底板部４１の下面に接着剤により固定され、板材４Ｃの全長にわたって平行に延びている。第３のパッキング８は、上下方向の荷重を受けると、圧縮変形して突縁部４４，４５間の空間内に収まる。
【００３４】
上段の板材４Ａは、上端部の天板部４０の位置に、前後双方へ突出する強度維持のためのフランジ７，７が天板部４０と一連一体に形成されている。これらのフランジ７は、運搬や設置、解体のための作業の際に作業者が板材４Ａを手持ちするための持ち手部７０を兼ねている。
【００３５】
中段、下段の各板材４Ｂ，４Ｃは、上端部の天板部４０の位置に、側板部４２の板面より後方へ突出する板状の持ち手部７０が一連一体に形成されている。持ち手部７０は各板材４Ａ，４Ｂ，４Ｃのほぼ全長にわたるが、両端の支柱部材３と重なる部分は切除されている。持ち手部７０は先端縁が下方に屈曲されている。
【００３６】
上段、中段の各板材４Ａ，４Ｂは、下端部の底板部４１の位置に、側板部４２の板面より後方へ突出する板状の固定部７１が底板部４１と一連一体に形成されている。固定部７１は持ち手部７０に全長にわたって重合可能であり、各持ち手部７０と各固定部７１には丸ビス７４を一連に通すための貫通孔７２，７３が一定間隔毎に形成されている。各持ち手部７０の下面には、貫通孔７３と対応する位置に、丸ビス７４が噛み合うねじ孔７５を備えた金属板７６が溶接により固着されている。ねじ孔７５と貫通孔７２，７３とは上下一連に揃っており、固定部７１上より複数個の丸ビス７４を各貫通孔７２，７３を通してねじ孔７５にねじ込むことにより持ち手部７０と固定部７１とが複数箇所においてねじ止めされる。なお、丸ビス７４の止め箇所は少なくとも長さ中央部に１箇所設定されるが、止水板４の長さに応じて増設するのが望ましい。持ち手部７０、固定部７１、および丸ビス７４は、積み重ねられた全ての板材４Ａ，４Ｂ，４Ｃを互いに密接する状態で一体化する連結機構１００を構成するものである。
【００３７】
各支柱部材３は、アルミニウムの押出成形品であって一側および両端が開放された凹形形状の枠材であり、図５に示すように、溝幅が止水板４の厚みより大きな凹溝３０を全長にわたって有している。凹溝３０は、底板部３１と底板部３１を挟んで対向する側板部３２，３３との間に形成されている。屋内Ｐの側の側板部３２には複数個のネジ孔３７が長さ方向の所定の位置、具体的には、止水板４の上段、中段、下段の各板材４Ａ，４Ｂ，４Ｃの補強板部４６の位置に形成されている。各支柱部材３は、図７に示すように、下端面が床面１０に接するように縦設されている。
【００３８】
止水板４の両側端縁は左右の各支柱部材３，３の凹溝３０内にそれぞれ位置している。各支柱部材３，３の屋外Ｑの側の側板部３３と止水板４の側端縁との間には帯板状の第２のパッキング８０が全長にわたってそれぞれ介在させてある。第２のパッキング８０はゴムなどの弾性体よりなり、支柱部材３の側板部３３の内面に接着剤により貼設されている。各支柱部材３の側板部３２に形成された各ネジ孔３７に第２のボルト１７がそれぞれねじ込まれ、第２のパッキング８０が圧縮変形するまで、凹溝３０内へ突き出た第２のボルト１７の先端により止水板４が押し付けられる。なお、止水板４の両側端部に補強のための金属板材をビス止めし、金属板材を介して第２のボルト１７の先端により止水板４を押し付けるようにしてもよい。
【００３９】
屋外Ｑの側の側板部３３の開放端縁には第２のパッキング８０に沿う突部３６が全長にわたって内向きに一体形成されている。この突部３６の突出長さは第２のパッキング８０が圧縮変形されたときの第２のパッキング８０の厚みに対応させてある。この突部３６に止水板４の側端縁が当たるまで各第２のボルト１７を締め付けて第２のパッキング８０を圧縮変形させることで、止水板４の側端縁と支柱部材３との間が水密状態となる。
【００４０】
支柱部材３の底板部３１の下面には、図５に示されるように、対向する突縁部３４，３５が全長にわたって一体形成されている。一対の帯板状の第１のパッキング８２は、突縁部３４，３５間の空間に第１のパッキング８２が収まるように全長にわたり接着剤により底板部３１の下面に貼設されている。底板部３１の長さ方向の両端部に近い位置には第１のボルト１５が挿入される貫通孔３８が形成されている。この貫通孔３８に挿通された第１のボルト１５をアンカー部材１３のねじ穴にねじ込み、第１のパッキング８２を圧縮変形させることにより各支柱部材３が建物の壁面１１，１２に固定されるとともに、支柱部材３と壁面１１，１２との間が水密状態となる。
【００４１】
第１の押下機構２は、図１、図６、および図７に示すように、各壁面１１，１２の支柱部材３の上方位置に設けられ、金属製の支持基板２０と２本の第３のボルト２５，２５とを含んでいる。この実施例の支持基板２０は、Ｌ形のアングル材により構成されており、壁面１１，１２に固定される垂直板部２１と、止水板４の側端部の上方へ突出する水平板部２２とを一体に備えている。垂直板部２１には、２本の支持基板固定用のボルト（以下「第５のボルト」という。）１６，１６を挿通するための２個の貫通孔２３，２３が形成されている。第５のボルト１６は、壁面１１，１２に埋設されたアンカー部材１３のねじ穴にねじ込まれる。
【００４２】
水平板部２２には、第３のボルト２５，２５をねじ込むための２個のねじ孔２４，２４が形成されている。第３のボルト２５はねじ孔２４に上方よりねじ込まれ、支持基板２０の水平板部２２の下方へ突き出ている。第３のボルト２５の先端は止水板４の天板部４０の上面に当接し、止水板４を押下して変位させる。
【００４３】
第２の押下機構９は、止水板４の下段の板材４Ｃの下端部の長さ中央部に設けられ、図１および図７に示すように、金属製の固定基板９０と、１本の第４のボルト９５と、床面１０に埋設されるアンカー部材１８とを含んでいる。なお、第２の押下機構９は、この実施例では板材４Ｃの後面に設けられているが、前面の側に設けることもでき、前面の側と後面の側の両方に設けてもよい。また、この実施例では、止水板４の長さ中央部の１箇所に設けられているが、止水板４の長さに応じて増設することもできる。例えば、止水板４の長さが２０００ｍｍ〜３０００ｍｍであれば長さ中央部に１箇所設けるが、４０００ｍｍであれば２箇所、５０００ｍｍであれば３箇所に増設する。
【００４４】
固定基板９０は、図８に示すように、例えばＬ形のアングル材をもって構成され、下段の板材４Ｃに固定され３個のねじ挿通孔９３が形成された垂直板部９１と、床面１０の上方に位置し上下に貫通する１個の貫通孔９４が形成された水平板部９２とを一体に備えている。垂直板部９１は水平板部９２の下面が止水板４の突縁部４４，４５の下端に揃うようにねじ挿通孔９３へ通されたねじ９６により側板部４２にねじ止めされている。
【００４５】
第４のボルト９５は、水平板部９２の貫通孔９４に上方より挿入されるもので、水平板部９２の下方へ突き出るねじ軸部９５ａと、水平板部９２上に支持される頭部９５ｂとを有している。第４のボルト９５は、頭部９５ｂが水平板部９２を下方へ押圧するようにねじ軸部９５ａの先端がアンカー部材１８のねじ穴にねじ込まれている。
【００４６】
第２の押下機構９および連結機構１００は、止水板４の両側端部が左右の第１の押下機構２の第３のボルト２５により押圧されたとき、止水板４の中央部には押圧力が十分に作用せずに浮いた状態となることを防止するために設けられているが、第１の押下機構２の第３のボルト２５による押圧力が止水板４の中央部にも作用して浮きの発生がわずかな場合（例えば止水板４の長さが１０００ｍｍ程度のものである場合）は、第２の押下機構９および連結機構１００を省略することができる。
【００４７】
なお、第１の押下機構２は第３のボルト２５の締付け操作により止水板４の側端部を押下させる構成のものであれば、上記の実施形態のものに限られない。また、第２の押下機構９も第４のボルト９５の締付け操作により止水板４の中央部を押下させる構成のものであれば、上記の実施形態のものに限られない。
【００４８】
図９（１）〜（３）は、止水装置１の設置手順を示している。
図９（１）は、左右の支柱部材３の凹溝３０内に下段、中段、上段の各板材４Ａ，４Ｂ，４Ｃの両側端縁を順次挿入して止水板４を組み立てたときの止水板４の下部の状態を示している。この状態では、第２のボルト１７は支柱部材３の側板部３２のねじ孔３７に緩くねじ込まれている。止水板４の設置後、支柱部材３の両側端部の上方に左右の第１の押下機構２の支持基板２０が取り付けられる。なお、第２の押下機構９の固定基板９０は、止水板４の下段の板材４Ｃの下端部の中央部に予め取り付けられている。
【００４９】
図９（２）は、第２のボルト１７を若干ねじ込み、止水板４を押圧変位させて位置決めした状態を示しており、止水板４は支柱部材３に仮固定される。この仮固定により止水板４と支柱部材３との間に介在する第２のパッキング８０は半ば圧縮変形している。なお、左右の第１の押下機構２の支持基板２０のねじ孔２４にはいまだ第３のボルト２５はねじ込まれておらず、第２の押下機構９の固定基板９０の貫通孔９４にも第４のボルト９５は挿入されていない。
【００５０】
図９（３）は、第１の押圧機構２の第３のボルト２５がねじ込まれ、ついで、第２のボルト１７がねじ込まれ、最後に、第２の押圧機構９の固定基板９０の貫通孔９４に第４のボルト９５が挿入されてアンカー部材１８にねじ込まれた状態を示している。この状態では、第３のパッキング８が圧縮変形して止水板４の下端と床面１０との間が水密状態となり、また、第２のパッキング８０が圧縮変形して止水板４と支柱部材３との間が水密状態となっている。
【００５１】
上記した構成の止水装置１において、左右の各支柱部材３，３と建物の壁面１１，１２との間に第１のパッキング８２を介在させて第１のボルト１５により圧縮変形させているので、各支柱部材３，３と壁面１１，１２との間が水密状態となる。また、止水板４に作用する水圧によって各支柱部材３，３が壁面１１，１２より離脱するおそれはない。
【００５２】
止水板４と床面１０との間には第３のパッキング８を介在させて第１の押下機構２の第３のボルト２５、さらには、第２の押下機構９の第４のボルト９５により第３のパッキング８を圧縮変形させているので、止水板４と床面１０との間が水密状態となる。また、止水板４に作用する水圧によって止水板４が床面１０より離脱することもない。
【００５３】
止水板４と各支柱部材３との間に第２のパッキング８０を介在させて第３のボルト２５により圧縮変形させているので、止水板４と各支柱部材３との間が水密状態となる。また、止水板４に作用する水圧によって止水板４が各支柱部材３，３より離脱することもない。
【００５４】
止水板４の上段の板材４Ａと中段の板材４Ｂとの間、および中段の板材４Ｂと下段の板材４Ｃとの間は、突条５と凹溝６との間に第４のパッキング６０を介在させて圧縮変形させ、連結機構１００により板材間を密接する状態に保持しているので、上下の板材間が水密状態となる。
【００５５】
平時は、左右の各支柱部材３，３、止水板４の各板材４Ａ，４Ｂ，４Ｃ、第１の押下機構２、および第２の押下機構９は解体された状態にあり、各アンカー部材１３，１８のねじ孔は蓋板がねじ止めされて塞がれている。各支柱部材３は第１のボルト１５により組立、解体が容易であり、また、止水板４は軽量であって各支柱部材３に対する組付や解体が容易である。そして、解体時は２本の支柱部材３，３と止水板４の各板材４Ａ，４Ｂ，４Ｃと第１の押下機構２と第２の押下機構９とに解体されるので、未使用時の保管に場所をとらない。例えば、壁面に棚受けのためのＬ形アングルを左右に取り付け、そのアングル上に止水板４を載せることで止水板４の各板材４Ａ，４Ｂ，４Ｃを棚板として兼用でき、その棚板の上に支柱部材３、第１の押圧機構２、第２の押下機構９などを載せて保管するとよい。  
【００５６】
洪水に際しては、アンカー部材１３，１８の蓋板を外してねじ穴を開放した後、各支柱部材３の底板部３１と建物の対向する壁面１１，１２との間に介在する第１のパッキング８２が圧縮変形するように、各支柱部材３を壁面１１，１２に１５に第１のボルト１５により固定する。その後、第２の押圧機構９の固定基板９０が取り付けられた下段の板材４Ｃを、両側端縁を左右の各支柱部材３の凹溝３０内に差し込むようにして落とし込み、続いて、中段の板材４Ｂ、上段の板材４Ａを同様に落とし込む。この場合、中段の板材４Ｂの突条５を上段の板材４Ａの凹溝６に、下段の板材４Ｂの突条５を中段の板材４Ｂの凹溝６に、それぞれ嵌入する。これにより各凹溝６内の第４のパッキング６０が突条５の先端により押圧されて圧縮変形し、下段の板材４Ｃと中段の板材４Ｂとの間、および中段の板材４Ｂと上段の板材４Ａとの間が水密状態となる。
【００５７】
そして、上段の板材４Ａの固定部７１と中段の板材４Ｂの持ち手部７０との間、および中段の板材４Ｂの固定部７１と下段の板材４Ｃの持ち手部７０との間を連結機構１００を構成する丸ビス７４により締め付けると、積み重ねられた全ての板材４Ａ，４Ｂ，４Ｃが互いに密接する状態で一体化される。その後、各支柱部材３の上方の壁面１１，１２に第１の押下機構２の支持基板２０を第５のボルト１６により取り付ける。
【００５８】
かくして、止水板４の下端の第３のパッキング８が圧縮変形するように、第１の押下機構２の水平板部２２のねじ孔２４に第３のボルト２５をねじ込んで第３のボルト２５の先端で止水板４を押下し、一方、各支柱部材３の側板部３３と止水板４との間に介在する第２のパッキング８０が圧縮変形するように、各支柱部材３，３の側板部３２に形成された各ねじ孔３７に第２のボルト１７をねじ込んで各第２のボルト１７の先端を止水板４に押し付け、さらに、第２の押圧機構９の水平板部９２の貫通孔９４より挿入した第４のボルト９５をアンカー部材１８のねじ穴にねじ込んで固定基板９０を床面１０に固定する。
【００５９】
上記した実施形態では、第２の押下機構９により止水板４の下段の板材４Ｃを下方へ押し下げて床面１０へ押し付けるとき、中段および上段の各板材４Ａ，４Ｂを下段の板材４Ｃと一体に下方へ押し下げるために、連結機構１００として、上段の板材４Ａの固定部７１と中段の板材４Ｂの持ち手部７１との間、および中段の板材４Ｂの固定部７１と下段の板材４Ｃの持ち手部７１との間をそれぞれ複数個の丸ビス７４により一体化する機構を採用しているが、連結機構１００はこのような構成のものに限定されるものではない。
【００６０】
図１０および図１１は、連結機構１００の他の実施形態を示している。
この実施態様における連結機構１００は、止水板４に沿って上下方向に設けられるねじ棒１０１と、ねじ棒１０１の下端部を支持する固定基板９０と、ねじ棒１０１の上端部を支持する支持板材としてのフランジ７と、フランジ７に設けられた貫通孔１０７より突出するねじ棒１０１の上端にねじ込まれるナット部材１０４とで構成され、ナット部材１０４を回動してフランジ７を下方へ押下させることにより、積み重ねられた全ての板材４Ａ，４Ｂ，４Ｃを互いに一体化するものである。なお、図１０において、連結機構１００以外の構成は、図１の実施例と同様であり、ここでは対応する構成に同一の符号を付することで詳細な説明は省略する。
【００６１】
図１２は、連結機構１００として、一方に右ねじ、他方に左ねじが切られた２本のねじ棒１０２，１０３を用いた他の実施形態を示している。図示の連結機構１００は、上側のねじ棒１０２の上端をフランジ７に設けられたねじ挿通孔１０８を貫通させてナット１０５により止め固定し、下側のねじ棒１０３の下端を固定基板９０に固定し、ねじ棒１０２，１０３間にナット部材１０６としてターンバックルがねじ込まれたもので、ターンバックルを一方の方向へ回動してフランジ７を下方へ押下させることにより、積み重ねられた全ての板材４Ａ，４Ｂ，４Ｃを互いに一体化するものである。
【符号の説明】
【００６２】
１    止水装置
２    第１の押下機構
３    支柱部材
４    止水板
５    突条
６    凹溝
７    フランジ
８    第３のパッキング
９    第２の押下機構
１０  床面
１１，１２  壁面
２０  支持基板
２１  垂直板部
２２  水平板部
２４  ねじ孔
２５  第３のボルト
４０  天板部
４１  底板部
４２，４３  側板部
６０  第４のパッキング
７０  手持ち部
７１  固定部
８０  第２のパッキング
８２  第１のパッキング
１００  連結機構
１０１，１０２，１０３  ねじ棒
１０４，１０６  ナット部材
【図１】
2019078086.tif 000003
【図２】
2019078086.tif 000004
【図３】
2019078086.tif 000005
【図４】
2019078086.tif 000006
【図５】
2019078086.tif 000007
【図６】
2019078086.tif 000008
【図７】
2019078086.tif 000009
【図８】
2019078086.tif 000010
【図９】
2019078086.tif 000011
【図１０】
2019078086.tif 000012
【図１１】
2019078086.tif 000013
【図１２】
2019078086.tif 000014
【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
床面上の開放部分を挟んで対向する壁面のそれぞれに第１のパッキングを介して水密状態で固定される左右の支柱部材と、
上下に積み重ねられる複数の板材よりなり両側端部が前記各支柱部材に第２のパッキングを介して水密状態で固定され下端部は床面に対して第３のパッキングを介して水密状態で押し当てられる止水板と、
前記各支柱部材の上方位置にそれぞれ設けられ前記壁面に固定される垂直板部と、上下に貫通するねじ孔を有し前記止水板の側端部の上方へ突出する水平板部とを一体に備える支持基板と、
前記止水板の両側端部を上方より押圧して前記第３のパッキングが圧縮変形するまで前記各支持基板の水平板部のねじ孔にねじ込まれるねじと、
前記止水板の長さ中央部に設けられ止水板の最下段の板材を下方へ押し下げて床面へ押し付ける押下機構と、
上下に積み重ねられた前記止水板の全ての板材を互いに密接する状態で一体化する連結機構とを備え、
前記止水板の各板材は、内部が中空のアルミ押出形材であって、天板部、底板部、および両方の側板部を一体に有し、最上段の板材を除く各板材は、前記天板部に突条と凹溝のうちの一方が、最下段の板材を除く各板材は、前記底板部に前記突条と凹溝のうちの他方が、それぞれ全長にわたって設けられ、前記突条は、対向する前記凹溝と第４のパッキングを介して水密状態で嵌合されており、
前記連結機構は、各板材の上端部に前記側板部の板面より突出するように設けられる板状の持ち手部と、最下段の板材を除く各板材の下端部に前記持ち手部に重合可能に設けられる板状の固定部とを含んでおり、前記持ち手部と前記固定部とが複数箇所においてねじ止めされる止水装置。
【請求項２】
前記突条は、帯板状であって前記凹溝の溝底に達しない高さを有し、先端縁が先細形状に形成されている請求項１に記載の止水板。
【手続補正２】
【補正対象書類名】明細書
【補正対象項目名】０００１
【補正方法】変更
【補正の内容】
【０００１】
この発明は、家屋、ビル、地下鉄、地下道などの構造物において、洪水時に出入口などの床面上の開放部分より水が流入しないように水を堰き止めるための止水装置に関する。
【手続補正３】
【補正対象書類名】明細書
【補正対象項目名】０００６
【補正方法】変更
【補正の内容】
【０００６】
この発明は、上記した問題に着目してなされたもので、運搬や設置、解体のための作業負担を軽減でき、少人数で設置、解体の各作業が行える止水装置を提供することを目的とする。
【手続補正４】
【補正対象書類名】明細書
【補正対象項目名】０００７
【補正方法】変更
【補正の内容】
【０００７】
この発明による止水装置は、床面上の開放部分を挟んで対向する壁面のそれぞれに第１のパッキングを介して水密状態で固定される左右の支柱部材と、
上下に積み重ねられる複数の板材よりなり両側端部が前記各支柱部材に第２のパッキングを介して水密状態で固定され下端部は床面に対して第３のパッキングを介して水密状態で押し当てられる止水板と、前記各支柱部材の上方位置にそれぞれ設けられ前記壁面に固定される垂直板部と、上下に貫通するねじ孔を有し前記止水板の側端部の上方へ突出する水平板部とを一体に備える支持基板と、前記止水板の両側端部を上方より押圧して前記第３のパッキングが圧縮変形するまで前記各支持基板の水平板部のねじ孔にねじ込まれるねじと、前記止水板の長さ中央部に設けられ止水板の最下段の板材を下方へ押し下げて床面へ押し付ける押下機構と、上下に積み重ねられた前記止水板の全ての板材を互いに密接する状態で一体化する連結機構とを備える。前記止水板の各板材は、内部が中空のアルミ押出形材であって、天板部、底板部、および両方の側板部を一体に有し、最上段の板材を除く各板材は、前記天板部に突条と凹溝のうちの一方が、最下段の板材を除く各板材は、前記底板部に前記突条と凹溝のうちの他方が、それぞれ全長にわたって設けられる。前記突条は、対向する前記凹溝と第４のパッキングを介して水密状態で嵌合される。前記連結機構は、各板材の上端部に前記側板部の板面より突出するように設けられる板状の持ち手部と、最下段の板材を除く各板材の下端部に前記持ち手部に重合可能に設けられる板状の固定部とを含んでおり、前記持ち手部と前記固定部とが複数箇所においてねじ止めされる。
【手続補正５】
【補正対象書類名】明細書
【補正対象項目名】０００８
【補正方法】変更
【補正の内容】
【０００８】
この発明によると、止水板は複数の板材により構成され、しかも、各板材は内部が中空のアルミ押出形材であるので、軽量で嵩張らず、運搬や取扱が容易である。止水板には、複数の板材を積み重ねて組み立てられるので、少人数で止水板の設置、解体の各作業を行うことができる。また、板材の積み重ねに際し、凹溝に突条を嵌め込むことで上下の板材の位置合わせと結合とが可能であり、凹溝内のパッキングが突条の先端縁により押し付けられることにより水密状態となる。各板材は、側板部の板面より突出する板状の持ち手部を備えているので、作業者は持ち手部に手を懸けることで各板材の運搬や設置、解体のための作業が可能である。
この発明による止水装置は、対向する各壁面に支柱部材を取り付けた後、左右の支柱部材間に複数の板材を積み重ねることで止水板が組み立てられる。支持基板の水平板部のねじ孔にねじを上方よりねじ込むと、ねじの先端部が水平板部の下方へ突出して止水板の側端部の上面に突き当たる。これにより止水板が押下されて第３のパッキングが全長にわたって圧縮変形するので、止水板と床面との間が水密状態となる。止水板の両側端部に上方より押圧力を作用させたとき、止水板の全長が長いと、止水板の中央部に下方への押圧力が十分に作用せずに中央部が浮いた状態になるおそれがあるが、押下機構により止水板の最下段の板材が下方へ押し下げられ、さらに、積み重ねられた各板材も連結機構により互いに密接状態で一体化されているので、最下段の板材に追随して押し下げられる。その結果、止水板の中央部に浮きが生じず、第３のパッキングが全長にわたって圧縮変形し、水密状態が得られる。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正書】
【提出日】平成30年3月9日(2018.3.9)
【手続補正１】
【補正対象書類名】特許請求の範囲
【補正対象項目名】請求項２
【補正方法】変更
【補正の内容】
【請求項２】
前記突条は、帯板状であって前記凹溝の溝底に達しない高さを有し、先端縁が先細形状に形成されている請求項１に記載の止水装置。